(57)【要約】【課題】  第三者による情報の読み取り等を防止でき、万一、第三者による情報の読み取り等が発生した場合でも、その事実を容易に知ることができる、情報の秘密性に優れたＲＦＩＤ機能を有する半導体装置を備えた通信用回路保持体を提供。【解決手段】連接する複数の領域を有する基材と、該基材の隣接する位置にある２つの領域において、前記一方の領域に配される回路と、該回路から個々に延びる第一導体部および第二導体部と、前記他方の領域に配される第三導体部とを具備してなる通信用回路保持体であって、前記一方の領域と前記他方の領域には、剥離不能強接着領域が設けられており、前記一方の領域と前記他方の領域を重ね合わせた際に、前記第一導体部と前記第二導体部を電気的に接続する接続手段として働く前記第三導体部の部分が前記剥離不能強接着領域内に配され、さらに、前記接続手段の機能を阻害する阻害手段を具備してなる通信用回路保持体。【選択図】        図１
2006243808.tif 000002
【特許請求の範囲】
【請求項１】
連接する複数の領域を有する基材と、
該基材の隣接する位置にある２つの領域において、前記一方の領域に配される回路と、該回路から個々に延びる第一導体部および第二導体部と、前記他方の領域に配される第三導体部とを具備してなる通信用回路保持体であって、
前記一方の領域と前記他方の領域には、剥離不能強接着領域が設けられており、
前記一方の領域と前記他方の領域を重ね合わせた際に、前記第一導体部と前記第二導体部を電気的に接続する接続手段として働く前記第三導体部の部分が前記剥離不能強接着領域内に配され、さらに、前記接続手段の機能を阻害する阻害手段を具備してなることを特徴とする通信用回路保持体。
【請求項２】
前記一方の領域と前記他方の領域には、それぞれ前記剥離不能強接着領域と剥離可能接着領域が区分されて設けられてなることを特徴とする請求項１に記載の通信用回路保持体。
【請求項３】
前記剥離可能接着領域が剥離可能再貼付可能接着領域とされてなることを特徴とする請求項１または２に記載の通信用回路保持体。
【発明の詳細な説明】
【技術分野】
【０００１】
本発明は、通信用回路保持体に関するものであり、特に、ＲＦＩＤ機能を有する半導体装置を備えた通信用回路保持体に関するものである。
【背景技術】
【０００２】
近年、郵便法の改正に伴い、親展性を有するハガキシステムが実用化され、普及し始めている。この親展性を有するハガキシステムは、例えば、個人的用件、あるいはプリント情報、印刷情報などの各種情報が記載されたハガキを折り畳み、重ね合わせ部分を２枚の透明フィルムを疑似接着した積層体を介して接着して、これらの情報を隠蔽した後、郵送し、受取人が重ね合わせ接着部分を剥離して、隠蔽情報を読み取るシステムである。
【０００３】
このようなハガキシステムにおいては、記録可能な情報量がハガキの印刷面の大きさや文字などの大きさにより制限され、一度に大量の情報を記録することができなかった。そこで、一度に大量の情報を記録することを可能とするために、上記のようなハガキシステムにＲＦＩＤ（Ｒａｄｉｏ  Ｆｒｅｑｕｅｎｃｙ  Ｉｄｅｎｔｉｆｉｃａｔｉｏｎ）タグを備えたＲＦＩＤタグ付きハガキが考案されている。このＲＦＩＤタグ付きハガキは、ＲＦＩＤタグを構成するＩＣチップに大量の情報を記録することができるとともに、情報の追加や変更などを行うことが可能である（特許文献１、特許文献２、特許文献３）。
【０００４】
しかしながら、このような従来のＲＦＩＤタグ付きハガキは、ＩＣチップに大量の情報を記録することができるものの、第三者による情報の読み取りや書き換えを防止するための手段が設けられていなかった。そのため、差出人から受取人の手元に届くまでの間に、第三者によって不慮または故意にＩＣチップに記録された情報を読み取られることや書き換えられることの虞があった。また、従来のＲＦＩＤタグ付きハガキは、第三者によって情報の読み取りや書き換えなどの不正行為が行われたとしても、その事実を確認する手段が設けられていなかった。このように、従来のＲＦＩＤタグ付きハガキにおいては、情報の秘密性を保つことができないという問題があった。
【特許文献１】特開平１１−１２６２３８号公報
【特許文献２】特開２００１−１２６０４３号公報
【特許文献３】特開２００３−１４１４９２号公報
【発明の開示】
【発明が解決しようとする課題】
【０００５】
本発明は、前記事情に鑑みてなされたものであって、第三者による情報の読み取りおよび書き換えを防止でき、万一、第三者による情報の読み取りおよび書き換えが発生した場合でも、その事実を容易に知ることができる、情報の秘密性に優れたＲＦＩＤ機能を有する半導体装置を備えた通信用回路保持体を提供することを目的とする。
【課題を解決するための手段】
【０００６】
上記課題を解決するために、本発明の通信用回路保持体は、連接する複数の領域を有する基材と、該基材の隣接する位置にある２つの領域において、前記一方の領域に配される回路と、該回路から個々に延びる第一導体部および第二導体部と、前記他方の領域に配される第三導体部とを具備してなる通信用回路保持体であって、前記一方の領域と前記他方の領域には、剥離不能強接着領域が設けられており、前記一方の領域と前記他方の領域を重ね合わせた際に、前記第一導体部と前記第二導体部を電気的に接続する接続手段として働く前記第三導体部の部分が前記剥離不能強接着領域内に配され、さらに、前記接続手段の機能を阻害する阻害手段を具備してなることを特徴とする。
【０００７】
かかる構成によれば、一方の領域と他方の領域を重ね合わせた際に、第三導体部によって第一導体部と第二導体部を電気的に接続することでアンテナ機能が阻害されるので、第三者による隠蔽情報の読み取りおよび書き換えが不可能になる。また、隠蔽情報の読み取りおよび書き換えを行うためには、第三者は剥離不能強接着領域に設けられた第三導体部と第一導体部および第二導体部との電気的な接続を解除するために剥離不能強接着領域を破壊する必要があるので、剥離不能強接着領域の状態によって、その事実を容易に視認することができる。
【０００８】
また、本発明の通信用回路保持体は、前記一方の領域と前記他方の領域には、それぞれ前記剥離不能強接着領域と剥離可能接着領域が区分されて設けられてなることが好ましい。
【０００９】
また、本発明の通信用回路保持体は、前記剥離可能接着領域が剥離可能再貼付可能接着領域とされてなることが好ましい。
【発明の効果】
【００１０】
本発明の通信用回路保持体によれば、一方の領域と他方の領域を重ね合わせた際に、第三導体部によって第一導体部と第二導体部を電気的に接続することでアンテナ機能が阻害されるので、第三者による隠蔽情報の読み取りおよび書き換えが不可能になる。また、隠蔽情報の読み取りおよび書き換えを行うためには、第三者は剥離不能強接着領域に設けられた第三導体部と第一導体部および第二導体部との電気的な接続を解除するために剥離不能強接着領域を破壊する必要があるので、剥離不能強接着領域の状態によって、その事実を容易に視認することができる。
また、通信用回路保持体の送付前においては、第三導体部が第一導体部と第二導体部に電気的に接続されていないため、差出人はＩＣチップへのデータの書き込みや書き換えを行うことができる。また、隠蔽情報や印字情報の書き込みも可能になる。
【発明を実施するための最良の形態】
【００１１】
以下、本発明の通信用回路保持体について、図面を参照して説明する。
【００１２】
（第１の実施形態）
図１は、本発明に係る通信用回路保持体の第１の実施形態を示すものであり、（Ａ）は展開図、（Ｂ）は組立状態図、（Ｃ）は（Ｂ）の断面図である。本発明の通信用回路保持体１０の基材１１は、連接される特定の形状（ここでは、長方形状）の第一領域１２と第二領域１３を有している。
【００１３】
第一領域１２には、ＩＣチップ１５、アンテナ１６、ジャンパー部１７からなるＲＦＩＤ機能を有する半導体装置（以下、「ＲＦＩＤ装置」と略す。）１４が設けられている。アンテナ１６はループ状に形成され、その一端はＩＣチップ１５の一端に接続され、他端はジャンパー部１７を介してＩＣチップ１５の他端に接続されている。第一領域１２には、第一導体部１８と第二導体部１９が設けられており、第一導体部１８の一端は、ＩＣチップ１５の一端に接続され、第二導体部１９の一端は、ＩＣチップ１５の他端に接続されている。第一導体部１８の他端と第二導体部１９の他端は、第一領域１２のミシン目２０ａで区画される角部領域２０に配置されている。角部領域２０は剥離不能強接着領域とされている。第一領域１２の角部領域２０を除く部分は、隠蔽情報等の印字や記入などが可能な第一印字領域２１になっている。第一印字領域２１は、剥離可能再貼付可能接着領域になっている。第一印字領域２１には、差出人が種々の隠蔽情報の印字や記入を行う。
尚、ＲＦＩＤ装置１４の上面に隠蔽情報の印字や記入を行う場合には、必要に応じてＲＦＩＤ装置１４の上面に絶縁性の紙を貼付し、その紙の上面に隠蔽情報の印字や記入を行うと良い。
【００１４】
第二領域１３には、切取ミシン目２３で区画される切断領域２４が形成されている。切断領域２４は、第一導体部１８と第二導体部１９の電気的接続を阻害する阻害手段して機能する。切断領域２４には、特定の形状（ここでは、三角形状）の第三導体部２２が設けられている。切断領域２４のうち第三導体部２２を除く強接着領域２７は、剥離不能強接着領域とされている。また、切断領域２４を覆うように図示略の剥離紙が設けられている。切取ミシン目２３に沿って切断領域２４を切り取ることにより、第三導体部２２は、第二領域１３から切り取り可能に形成されている。第二領域１３の切断領域２４を除く部分は、隠蔽情報等の印字や記入などが可能な第二印字領域２５になっている。第二印字領域２５には、差出人が種々の隠蔽情報の印字や記入を行う。第二印字領域２５は、剥離可能再貼付可能領域とされている。連接される第一領域１２と第２領域１３の中間には、折り目２６が設けられている。
【００１５】
切断領域２４から剥離紙を剥がし、基材１１を折り目２６にて谷折りして、第一領域１２と第二領域１３を重ね合わせることにより、第三導体部２２が第一領域１２の角部領域２０に当接し、第一導体部１８と第二導体部１９を電気的に接続する。これによって、アンテナ１６とジャンパー部１７からなる回路には、電気的に並列な他の回路が加わったことになり、通信機能が阻害される。すなわち、第三導体部２２が、第一導体部１８と第二導体部１９の電気的な接続手段となり、通信機能を阻害するように機能する。また、切取ミシン目２３に沿って切断領域２４を切り取ることにより、第三導体部２２による第一導体部１８と第二導体部１９の電気的な接続を解除することができる。すなわち、切断領域２４は、第三導体部２２による第一導体部１８と第二導体部１９の電気的な接続を阻害する阻害手段として機能する。
【００１６】
差出人が本発明の通信用回路保持体１０を受取人に送付する場合には、第一印字領域２１および第二印字領域２５に諸望の隠蔽情報を印字また記入できる。これに加えて、第三導体部２２を第一導体部１８と第二導体部１９に電気的に接続するまでは、アンテナは正常に機能することができるので、ＩＣチップのデータの書き込みや書き換えを行うことができる。その後、上述のように通信用回路保持体１０を組み立てる。通信用回路保持体１０を受け取った受取人は、切取ミシン目２３で切断領域２４を切り取ることにより、第三導体部２２による第一導体部１８と第二導体部１９の電気的接続を解除し、ＦＲＩＤ装置１４を使用可能な状態とすることができる。また、受取人は、第一領域１２と第二領域１３を剥離することで、第一印字領域２１と第二印字領域２５に印字された隠蔽情報を読み取ることができる。
【００１７】
尚、本発明において、差出人が第一領域１２と第二領域１３を一度貼付した後に、第一領域１２あるいは第二領域１３に隠蔽情報を追加したい状況が生じた場合には、第一印字領域１２と第二印字領域１３が剥離可能再貼付可能接着領域とされているので、ミシン目２３にそって第一印字領域２１と第二印字領域２５を剥離することが可能であり、隠蔽情報の追加記入等を行うことができる。
【００１８】
切断領域２４を切り取る方法としては、切取ミシン目２３に沿って、手でもぎる方法やはさみ等で切断する方法が考えられるが、これに限定されず如何なる方法であってもよい。
【００１９】
また、本発明に用いられるＲＦＩＤ装置１４としては、電磁波を使った非接触の自動認識機能を有する装置であれば特に限定されず、如何なるものでも適用される。ＲＦＩＤ装置１４としては、例えば、コイル状、ポール状、ループ状のアンテナの上にＩＣチップが搭載されたものや、ＩＣチップとアンテナとが接続されて一体化されたもの、ＩＣチップにアンテナが形成されたものなど、通信機能を有するものが挙げられる。具体的には、１３．５６ＭＨｚ〜２．４５ＧＨｚまでの全周波数帯域において通信可能な微小ＲＦＩＤチップなどが挙げられる。
【００２０】
本発明の基材１１としては、文字、模様または画像を印刷することができるものであれば特に限定されず、如何なるものでも適用され、例えば、紙、樹脂材などが挙げられる。
【００２１】
剥離不能強接着領域とは、接着することによって接着面が剥離困難または剥離不可能な状態にされる接着領域のことである。剥離不能強接着領域には、周知の接着剤を使用することができる。剥離可能再貼付可能接着領域とは、接着後において接着面を剥離することが可能であるとともに、剥離後に再貼付することが可能な状態にされる接着領域のことである。剥離可能再貼付可能接着領域は、アクリル樹脂系粘着剤を水性エマルジョン化した粘着剤をフレキソ印刷法によって形成することができる。
【００２２】
また、剥離不能強接着領域は、剥離困難または剥離不可能な感圧接着剤からなるものも使用できる。このような感圧接着剤としては、従来の感圧接着剤として慣用されているものが用いられ、この中でも、２２０ｇｆ／２５ｍｍ以上の剥離力を有するように接着剤を圧着させることが必要とされる。このような感圧接着剤としては、例えば、圧力が加わると接着性が現れる天然ゴム系接着剤やアクリル樹脂系等の合成ゴム系接着剤や酢酸ビニル系接着剤等の接着剤に小麦澱粉やシリカ等の接着調整剤を充填させた感圧接着剤等が挙げられる。また、天然ゴムにスチレンとメタクリル酸メチルとをグラフト共重合させて得られた天然ゴムラテックスが挙げられる。
剥離可能接着領域とは、接着後において接着面を剥離することが可能な状態にされる接着領域のことであり、剥離可能な感圧接着剤からなるものが使用できる。このような感圧接着剤としては、従来の感圧接着剤として慣用されているものが用いられ、この中でも、２２０ｇｆ／２５ｍｍ以下の剥離力を有するように接着剤を圧着させることが必要とされる。このような感圧接着剤としては、例えば、圧力が加わると接着性が現れる天然ゴム系接着剤やアクリル樹脂系等の合成ゴム系接着剤や酢酸ビニル系接着剤等の接着剤に小麦澱粉やシリカ等の接着調整剤を充填させた感圧接着剤等が挙げられる。また、天然ゴムにスチレンとメタクリル酸メチルとをグラフト共重合させて得られた天然ゴムラテックスが挙げられる。
【００２３】
このような感圧接着剤を用いて、一方の領域と他方の領域を重ね合わせて剥離不能強接着領域として接着するためには、少なくとも重ね合わされる何れかの領域に上記のような感圧接着剤を塗布しておけば良い。その後、一方の領域と他方の領域を重ね合わせ、２２０ｇｆ／２５ｍｍ以上の剥離力を有するように接着剤を圧着させると良い。また、重ね合わされる面の両方に上記のような感圧接着剤を塗布しておいても良い。すなわち両方の領域に上記のような感圧接着剤を塗布しておいても良い。また、一方の領域と他方の領域を重ね合わせて剥離可能接着領域として接着するためには、少なくとも重ね合わされる何れかの領域に上記のような感圧接着剤を塗布しておけば良い。その後、一方の領域と他方の領域を重ね合わせ、２２０ｇｆ／２５ｍｍ以下の剥離力を有するように接着剤を圧着させると良い。また、重ね合わされる面の両方に上記のような感圧接着剤を塗布しておいても良い。すなわち両方の領域に上記のような感圧接着剤を塗布しておいても良い。基材に剥離不能強接着領域および剥離可能接着領域を設けるためには、基材の全面に感圧接着剤を塗付しておき、複数の領域を重ね合わせる。剥離不能強接着領域を２２０ｇｆ／２５ｍｍ以上の剥離力を有するように接着し、その後、剥離可能接着領域を２２０ｇｆ／２５ｍｍ以下の剥離力を有するように接着すると良い。
【００２４】
第一導体部１８、第二導体部１９および第三導体部２２としては、導電性の金属箔、金属板、金属網、導電性ペーストからなる導電性の膜などが挙げられる。このような導体部をなす金属としては、特に限定されず、例えば、銅（Ｃｕ）、銀（Ａｇ）などが挙げられる。
【００２５】
また、本発明の通信用回路保持体１０においては、第一導体部１８と第二導体部１９を接続させる手段として第三導体部２２を例示したが、本発明の通信用回路保持体１０はこれに限定されない。本発明の通信用回路保持体１０にあっては、第三導体部２２として、コンデンサ、抵抗などを用いてもよい。
【００２６】
また、通信用回路保持体１０には、第一印字領域２１および第二印字領域２２の背面に印字情報を印字してもよい。この印刷情報とは、熱転写方式のプリンタ、インクジェット方式のプリンタ、マイクロドライブ方式のプリンタ、昇華型熱転写方式のプリンタ、サーモオートクローム方式のプリンタなどによって印刷された任意の文字、模様、画像である。
【００２７】
（第２の実施形態）
図２は、本発明に係る通信用回路保持体３０の第２の実施形態を示す概略図であり、（Ａ）は展開図、（Ｂ）は組立状態図、（Ｃ）は（Ｂ）の断面図である。
尚、第１の実施形態と同様の機能を果たす部分には、同一の符号を付して説明を省略する。
【００２８】
第２の実施形態の通信用回路保持体３０は、第１の実施形態の切断領域の代わりに２つのめくりミシン目３２によって形成されるめくり領域３１を設けている点と、角部領域２０が２つのミシン目２０ａによって区画されている点が第１の実施形態と異なる。すなわち、第二領域１３には、めくりミシン目３２によって形成されるめくり領域３１が形成されている。めくり領域３１は、第一導体部１８と第二導体部１９の電気的接続を阻害する阻害手段して機能する。めくり領域３１には、特定の形状（ここでは、長方形状）の第三導体部２２が設けられている。めくり領域３１のうち第三導体部２２を除く強接着領域２７は、剥離不能強接着領域とされている。また、めくり領域３１を覆うように図示略の剥離紙が設けられている。めくり領域３１は、めくりミシン目３２に沿ってめくることができるように形成されている。第二領域１３のめくり領域３１を除く部分は、隠蔽情報等の印字や記入などが可能な第二印字領域２５になっている。第二印字領域２５には、差出人が種々の隠蔽情報の印字や記入を行う。第二印字領域２５は、剥離可能再貼付可能接着領域とされている。連接される第一領域１２と第二領域１３の中間には、折り目２６が設けられている。
【００２９】
めくり領域３１から剥離紙を剥がし、基材１１を折り目２６にて谷折りして、第一領域１２と第二領域１３を重ね合わせることにより、第三導体部２２が第一領域１２の角部領域２０に当接し、第一導体部１８と第二導体部１９を電気的に接続する。これによって、アンテナ１６とジャンパー部１７からなる回路には、電気的に並列な他の回路が加わったことになり、通信機能が阻害される。すなわち、第三導体部２２が、第一導体部１８と第二導体部１９の電気的な接続手段となり、通信機能を阻害するように機能する。また、めくりミシン目３２に沿ってめくり領域３１をめくることにより、第三導体部２２による第一導体部１８と第二導体部１９の電気的な接続を解除することができる。すなわち、めくり領域３１は、第三導体部２２による第一導体部１８と第二導体部１９の電気的な接続を阻害する阻害手段として機能する。
尚、めくり領域３１は、基材１１から分離されずに第２印字領域と連結されている。
【００３０】
差出人が本発明の通信用回路保持体３０を受取人に送付する場合には、第一印字領域２１および第二印字領域２５に諸望の隠蔽情報を印字また記入できる。これに加えて、第三導体部２２を第一導体部１８と第二導体部１９に電気的に接続するまでは、アンテナは正常に機能することができるので、ＩＣチップのデータの書き込みや書き換えを行うことができる。その後、上述のように通信用回路保持体３０を組み立てる。通信用回路保持体３０を受け取った受取人は、めくりミシン目３２でめくり領域３１をめくることにより、第三導体部２２による第一導体部１８と第二導体部１９の電気的接続を解除し、ＦＲＩＤ装置１４を使用可能な状態とすることができる。また、受取人は、第一領域１２と第二領域１３を剥離することで、第一印字領域２１と第二印字領域２５に印字された隠蔽情報を読み取ることができる。
【００３１】
（第３の実施形態）
図３は、本発明に係る通信用回路保持体の第３の実施形態を示す概略図であり、（Ａ）は展開図、（Ｂ）は組立状態図、（Ｃ）は（Ｂ）の断面図である。
尚、第１の実施形態および第２の実施形態と同様の機能を果たす部分には、同一の符号を付して説明を省略する。
【００３２】
本発明の通信用回路保持体４０の基材１１は、第２の実施形態に加え、第一領域１１に連接される第三領域４１を有している。すなわち、第一領域１１の一辺には第二領域が連接され、その一辺に対向する他辺には第三領域４１が連接されている。第一領域１１と第三領域４１の間には、第一折り目４２が設けられ、第一領域１１と第二領域１２の間には、第二折り目４３が設けられている。
【００３３】
第三領域４１には、第三領域４１の厚さ方向に貫通する特定の形状（ここでは、正方形状）の第四導体部４４と第五導体部４５が設けられている。第三領域４１の第四導体部４４と第五導体部４５を除く領域は、第三印字領域４６とされている。第三印字領域４６は剥離可能再貼付可能接着領域とされており、隠蔽情報が印字されている。
【００３４】
基材１１を第一折り目４２にて谷折りして第一領域１２と第三領域４１を重ね合わせることにより、第四導電部４４が第一導電部１８に、第五導電部４５が第二導電部１９にそれぞれ電気的に接続される。次に、めくり領域３１から剥離紙を剥がし、基材１１を第二折り目４３にて谷折りして第三導電部２２を第四導電部４４と第五導電部４５に重ね合わせことにより、第四導電部４４と第五導電部４５が電気的に接続される。この状態で、第三導電部２２、第四導電部４４、第五導電部４５を介して、第一導体部１８と第二導体部１９が電気的に接続されたことになる。これによって、アンテナ１６とジャンパー部１７からなる回路には、電気的に並列な他の回路が加わったことになり、通信機能が阻害される。すなわち、第三導体部が、第一導体部と第二導体部の電気的な接続手段となり、通信機能を阻害するように機能する。また、めくりミシン目３２に沿ってめくり領域３１をめくることにより、第三導体部２２による第一導体部１８と第二導体部１９の電気的な接続を解除することができる。すなわち、めくり領域３１は、第三導体部２２による第一導体部１８と第二導体部１９の電気的な接続を阻害する阻害手段として機能する。
【００３５】
差出人が本発明の通信用回路保持体４０を受取人に送付する場合には、第一印字領域２１と第二印字領域２５と第三印字領域４６に諸望の隠蔽情報を印字また記入できる。これに加えて、第三導体部２２を第一導体部１８と第二導体部１９に電気的に接続するまでは、アンテナは正常に機能することができるので、ＩＣチップのデータの書き込みや書き換えを行うことができる。その後、上述のように通信用回路保持体４０を組み立てる。通信用回路保持体４０を受け取った受取人は、めくりミシン目３２でめくり領域３１をめくることにより、第三導体部２２による第一導体部１８と第二導体部１９の電気的接続を解除し、ＦＲＩＤ装置１４を使用可能な状態とすることができる。また、受取人は、第一領域１２と第二領域１３と第三領域４６を剥離することで、第一印字領域２１と第二印字領域２５、第三印字領域４６に印字された隠蔽情報を読み取ることができる。
【００３６】
（第４の実施形態）
図４は、本発明に係る通信用回路保持体の第４の実施形態を示す概略図であり、（Ａ）は展開図、（Ｂ）は組立状態図、（Ｃ）は（Ｂ）の断面図である。
尚、第１の実施形態と同様の機能を果たす部分には、同一の符号を付して説明を省略する。
【００３７】
本発明の通信用回路保持体５０の基材１１は、第２の実施形態に加え、第二領域１３に連接される第三領域５１と、第一領域１２に連接される第四領域５２を有している。すなわち、図４（Ａ）において、基材１１は、左側から第三領域５１、第二領域１３、第一領域１２、第四領域５２が順次形成されている。また、第三領域５１と第二領域１３の間には第一折り目５３が設けられ、第二領域１３と第一領域１２の間には第二折り目５４が設けられ、第一領域１２と第四領域５２の間には第三折り目５５が設けられている。
【００３８】
第三領域５１には、切取ミシン目５６で区画される第二切断領域５７が設けられている。第三領域５１の第二切断領域５７を除く領域は、第三印字領域５８とされており、第三印字領域５８には文字情報が印字されている。第三領域の背面は、剥離可能再貼付可能接着領域とされている。また、隠蔽情報が印字されている。
【００３９】
第四領域５２には、ミシン目６０ａで区画される角部領域６０が設けられている。第四領域５２の角部領域６０を除く領域は、第四印字領域５９とされており、文字情報が印字されている。第四領域５２の背面は剥離可能再貼付可能接着領域とされている。また、隠蔽情報が印字されている。
【００４０】
差出人が本発明の通信用回路保持体５０を受取人に送付する場合には、各印字領域に諸望の文字情報や隠蔽情報を印字または記入できる。これに加えて、第三導体部２２を第一導体部１８と第二導体部１９に電気的に接続するまでは、アンテナ１６は正常に機能することができるので、ＩＣチップ１５のデータの書き込みや書き換えを行うことができる。その後、第一折り目５３にて基材１１を山折りし、第二領域１３と第三領域５１を重ね合わせる。すなわち、第三領域５１と第二領域１３の背面同士が貼付される。この際に、第二切断領域５７は第一切断領域２４に重ね合わせる。次に、第一切断領域２４に貼付されている剥離紙を剥がし、第二折り目５４にて谷折りすし、第一領域１２と第二領域１３を重ね合わせることにより、第三導体部２２が第一領域１２の角部領域２０に当接し、第一導体部１８と第二導体部１９を電気的に接続する。これによって、アンテナ１６とジャンパー部１７からなる回路には、電気的に並列な他の回路が加わったことになり、通信機能が阻害される。すなわち、第三導体部２２が、第一導体部１８と第二導体部１９の電気的な接続手段となり、通信機能を阻害するように機能する。次に、第三折り目５５にて山折りし、第一領域１２と第四領域５２を重ね合わせる。すなわち、第一領域１２と第四領域５２の背面同士が貼付される。
【００４１】
通信用回路保持体５０を受け取った受取人は、切取ミシン目２３と第二切取ミシン目５６で第三導体部２２を切り取ることにより、第三導体部２２による第一導体部１８と第二導体部１９の電気的な接続を解除することができる。すなわち、切断領域２４は、第三導体部２２による第一導体部１８と第二導体部１９の電気的な接続を阻害する阻害手段として機能する。第一導体部１８と第二導体部１９の電気的接続を解除することで、ＦＲＩＤ装置１４を使用可能な状態とする。また、各剥離可能再貼付可能接着領域を剥離することで、隠蔽情報を読み取る。
【図面の簡単な説明】
【００４２】
【図１】本発明の第１の実施形態を示す図で、（Ａ）は展開図、（Ｂ）は正面図、（Ｃ）は断面図である。
【図２】本発明の第２の実施形態を示す図で、（Ａ）は展開図、（Ｂ）は正面図、（Ｃ）は断面図である。
【図３】本発明の第３の実施形態を示す図で、（Ａ）は展開図、（Ｂ）は正面図、（Ｃ）は断面図である。
【図４】本発明の第４の実施形態を示す図で、（Ａ）は展開図、（Ｂ）は正面図、（Ｃ）は断面図である。
【符号の説明】
【００４３】
１０・・・通信用回路保持体、１１・・・基材、１２・・・第一領域、１３・・・第二領域、１４・・・ＦＲＩＤ装置、１５・・・ＩＣチップ、１６・・・アンテナ、１７・・・ジャンパー部、１８・・・第一導体部、１９・・・第二導体部、２０・・・角部領域、２０ａ・・・ミシン目、２１・・・第一印字領域、２２・・・第三導体部、２３・・・切取ミシン目、２４・・・切断領域、２５・・・第二印字領域、２６・・・折り目、２７・・・強接着領域、２８・・・強粘着剤、２９・・・弱粘着剤、３０・・・通信用回路保持体、３１・・・めくり領域、３２・・・めくりミシン目、４０・・・通信用回路保持体、４１・・・第三領域、４２・・・第一折り目、４３・・・第二折り目、４４・・・第四導体部、４５・・・第五導体部、４６・・・第三印字領域、５０・・・通信用回路保持体、５１・・・第三領域、５２・・・第四領域、５３・・・第一折り目、５４・・・第二折り目、５５・・・第三折り目、５６・・・切取ミシン目、５７・・・第二切断領域、５８・・・第三印字領域、５９・・・第四印字領域、６０・・・角部領域、６０ａ・・・ミシン目
【図１】
2006243808.tif 000003
【図２】
2006243808.tif 000004
【図３】
2006243808.tif 000005
【図４】
2006243808.tif 000006